【手続補正書】
【提出日】平成25年2月28日(2013.2.28)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
前記リールを停止させるときに遊技者が操作するストップスイッチと、
遊技者にとって有利となる特別遊技に移行するための特別役を含めて役の抽選を行う役抽選手段と、
前記役抽選手段による役の抽選結果に基づいて、前記リールを停止制御するリール制御手段と、
前記特別遊技中の遊技の進行を制御する特別遊技制御手段と
を備え、
前記特別遊技では、前記役抽選手段は、特定の役抽選結果Ｐを複数種類有して役の抽選を行い、
いずれかの役抽選結果Ｐとなった遊技では、少なくとも２種類の入賞態様Ａ及び入賞態様Ｂとなる各前記ストップスイッチの押し順が定められ、
前記リール制御手段は、前記役抽選手段でいずれかの役抽選結果Ｐとなった遊技において、入賞態様Ａに対応する押し順で前記ストップスイッチが操作されたときは入賞時の遊技媒体の払出し数が「Ｎ１」となり、入賞態様Ｂに対応する押し順で前記ストップスイッチが操作されたときは入賞時の遊技媒体の払出し数が「Ｎ２」（Ｎ２＞Ｎ１）となるように前記リールを停止制御し、
前記特別遊技制御手段は、遊技媒体の払出し数が「Ｎ２」に達したときは、前記特別遊技を終了するように制御し、
前記特別遊技において、最初にいずれかの役抽選結果Ｐとなった遊技では入賞態様Ａとなる押し順を報知し、次にいずれかの役抽選結果Ｐとなった遊技では入賞態様Ｂとなる押し順を報知する報知制御手段を備える
ことを特徴とするスロットマシン。
【請求項２】
請求項１に記載のスロットマシンにおいて、
前記報知制御手段は、所定の条件を満たしたときは、報知を終了する条件を満たすまで、前記特別遊技でいずれかの役抽選結果Ｐとなったときに入賞態様Ａ又は入賞態様Ｂとなる押し順を報知することに決定し、
前記特別遊技でいずれかの役抽選結果Ｐとなったときに押し順が報知されないときは、前記特別遊技を含む出玉率が「１」を下回るように設定されており、
前記特別遊技でいずれかの役抽選結果Ｐとなったときに押し順が報知され、入賞態様Ａ及び入賞態様Ｂとなる遊技を介して前記特別遊技を終了するときは、前記特別遊技を含む出玉率が「１」を上回るように設定されている
ことを特徴とするスロットマシン。
【請求項３】
請求項１又は請求項２に記載のスロットマシンにおいて、
前記リール制御手段は、
前記役抽選手段で前記特別役に当選したときは、他の役に当選していないことを条件に、前記ストップスイッチの操作タイミングにかかわらず常に前記特別役が入賞するように前記リールを停止制御することで、前記特別役の当選を次遊技以降に持ち越さないように制御し、
前記特別遊技で入賞態様Ａ又は入賞態様Ｂとなる押し順で前記ストップスイッチが操作されたときは、前記ストップスイッチの操作タイミングにかかわらず常に入賞態様Ａ又は入賞態様Ｂとなるように前記リールを停止制御する
ことを特徴とするスロットマシン。
【請求項４】
請求項１から請求項３までのいずれか１項に記載のスロットマシンにおいて、
前記特別遊技で押し順が報知されない遊技において、前記ストップスイッチが特定の押し順以外の押し順で操作されたときは、遊技者に対してペナルティを付与するように制御し、
前記特別遊技で押し順が報知された遊技であって、報知された押し順が前記特定の押し順以外の押し順である場合は、その押し順で前記ストップスイッチが操作されたときであっても遊技者に対してペナルティを付与しないように制御し、
前記特別遊技では、前記特定の押し順以外の押し順で入賞態様Ａ又は入賞態様Ｂとなる割合が多くなるように設定する
ことを特徴とするスロットマシン。
【請求項５】
請求項１から請求項４までのいずれか１項に記載のスロットマシンにおいて、
前記リール制御手段は、前記役抽選手段でいずれかの役抽選結果Ｐとなった遊技において、入賞態様Ａ又は入賞態様Ｂ以外の押し順で前記ストップスイッチが操作されたときは、遊技媒体の払出し数が「Ｎ１」未満である入賞態様Ｃとなるように前記リールを停止制御する
ことを特徴とするスロットマシン。
【請求項６】
請求項５に記載のスロットマシンにおいて、
役抽選結果Ｐは、遊技者に再遊技の権利を与える複数種類のリプレイの重複当選であり、
入賞態様Ａ、入賞態様Ｂ及び入賞態様Ｃは、いずれも、少なくとも１つの小役が入賞する態様であり、
入賞する小役の種類、又は小役に対応する図柄の組合せが停止する有効ライン数の少なくとも一方を異ならせることで、入賞態様Ａ、入賞態様Ｂ及び入賞態様Ｃに係る遊技媒体の払出し数を異ならせるように制御する
ことを特徴とするスロットマシン。
【手続補正２】
【補正対象書類名】明細書
【補正対象項目名】０００３
【補正方法】変更
【補正の内容】
【０００３】
【特許文献１】特開２００９−２９７５７６号公報
【手続補正３】
【補正対象書類名】明細書
【補正対象項目名】０００６
【補正方法】変更
【補正の内容】
【０００６】
本発明は、以下の解決手段によって、上述の課題を解決する。なお、かっこ書きにて、対応する実施形態を示す。
請求項１の発明は、
複数種類の図柄を表示した複数のリール（３１）と、
前記リールを停止させるときに遊技者が操作するストップスイッチ（４２）と、
遊技者にとって有利となる特別遊技（ＭＢ遊技）に移行するための特別役（ＭＢ）を含めて役の抽選を行う役抽選手段（６１）と、
前記役抽選手段による役の抽選結果に基づいて、前記リールを停止制御するリール制御手段（６４）と、
前記特別遊技中の遊技の進行を制御する特別遊技制御手段（６８）と
を備え、
前記特別遊技では、前記役抽選手段は、特定の役抽選結果Ｐを複数種類（３種類）有して役の抽選を行い、
いずれかの役抽選結果Ｐとなった遊技では、少なくとも２種類の入賞態様Ａ（１４枚の払出しとなる図柄停止態様）及び入賞態様Ｂ（１５枚の払出しとなる図柄停止態様）となる各前記ストップスイッチの押し順が定められ、
前記リール制御手段は、前記役抽選手段でいずれかの役抽選結果Ｐとなった遊技において、入賞態様Ａに対応する押し順で前記ストップスイッチが操作されたときは入賞時の遊技媒体の払出し数が「Ｎ１」（１４枚）となり、入賞態様Ｂに対応する押し順で前記ストップスイッチが操作されたときは入賞時の遊技媒体の払出し数が「Ｎ２」（Ｎ２＞Ｎ１）（１５枚）となるように前記リールを停止制御し、
前記特別遊技制御手段は、遊技媒体の払出し数が「Ｎ２」（１５枚）に達したときは、前記特別遊技を終了するように制御し、前記特別遊技において、最初にいずれかの役抽選結果Ｐとなった遊技では入賞態様Ａとなる押し順を報知し、次にいずれかの役抽選結果Ｐとなった遊技では入賞態様Ｂとなる押し順を報知する報知制御手段（７２）を備える
ことを特徴とする。
【手続補正４】
【補正対象書類名】明細書
【補正対象項目名】０００８
【補正方法】変更
【補正の内容】
【０００８】
請求項３の発明は、請求項１又は請求項２に記載のスロットマシンにおいて、前記リール制御手段は、前記役抽選手段で前記特別役に当選したときは、他の役に当選していないことを条件に、前記ストップスイッチの操作タイミングにかかわらず常に前記特別役が入賞するように前記リールを停止制御することで、前記特別役の当選を次遊技以降に持ち越さないように制御し、前記特別遊技で入賞態様Ａ又は入賞態様Ｂとなる押し順で前記ストップスイッチが操作されたときは、前記ストップスイッチの操作タイミングにかかわらず常に入賞態様Ａ又は入賞態様Ｂとなるように前記リールを停止制御することを特徴とする。
【手続補正５】
【補正対象書類名】明細書
【補正対象項目名】０００９
【補正方法】変更
【補正の内容】
【０００９】
請求項４の発明は、請求項１から請求項３までのいずれか１項に記載のスロットマシンにおいて、前記特別遊技で押し順が報知されない遊技において、前記ストップスイッチが特定の押し順以外の押し順で操作されたときは、遊技者に対してペナルティ（報知を開始する条件を満たした場合であってもペナルティ期間は報知を行わないこと等）を付与するように制御し、前記特別遊技で押し順が報知された遊技であって、報知された押し順が前記特定の押し順以外の押し順である場合は、その押し順で前記ストップスイッチが操作されたときであっても遊技者に対してペナルティを付与しないように制御し、前記特別遊技（非ＲＴ遊技中にＭＢ遊技に移行した場合）では、前記特定の押し順（最初に左ストップスイッチ４２を操作した場合）以外の押し順で入賞態様Ａ又は入賞態様Ｂとなる割合が多くなるように設定することを特徴とする。
【手続補正６】
【補正対象書類名】明細書
【補正対象項目名】００１０
【補正方法】変更
【補正の内容】
【００１０】
請求項５の発明は、請求項１から請求項４までのいずれか１項に記載のスロットマシンにおいて、前記リール制御手段は、前記役抽選手段でいずれかの役抽選結果Ｐとなった遊技において、入賞態様Ａ又は入賞態様Ｂ以外の押し順で前記ストップスイッチが操作されたときは、遊技媒体の払出し数が「Ｎ１」未満（５枚）である入賞態様Ｃ（５枚の払出しとなる図柄停止態様）となるように前記リールを停止制御することを特徴とする。
【手続補正７】
【補正対象書類名】明細書
【補正対象項目名】００１１
【補正方法】変更
【補正の内容】
【００１１】
請求項６の発明は、請求項５に記載のスロットマシンにおいて、役抽選結果Ｐは、遊技者に再遊技の権利を与える複数種類のリプレイの重複当選であり、入賞態様Ａ、入賞態様Ｂ及び入賞態様Ｃは、いずれも、少なくとも１つの小役が入賞する態様であり、入賞する小役の種類、又は小役に対応する図柄の組合せが停止する有効ライン数の少なくとも一方を異ならせることで、入賞態様Ａ、入賞態様Ｂ及び入賞態様Ｃに係る遊技媒体の払出し数を異ならせるように制御することを特徴とする。
【手続補正８】
【補正対象書類名】明細書
【補正対象項目名】００１２
【補正方法】変更
【補正の内容】
【００１２】
（作用）
本発明においては、入賞態様Ａ又は入賞態様Ｂとなる押し順の報知が行われる特別遊技では、遊技媒体の払出し数を最大限として特別遊技を終了することができる。
これに対し、押し順の報知が行われない特別遊技では、遊技者は入賞態様Ａ又は入賞態様Ｂとなる押し順を知ることができない。よって、押し順の報知が行われる特別遊技に対して、押し順の報知が行われない特別遊技では、差枚数が少なくなる。